(57)【要約】      （修正有）【課題】接続装置において噛み込みが生じないようにして、情報伝達ケーブルの接続を確実に行うことができる接続装置およびその接続装置を備えるイメージング装置を提供する。【解決手段】接続装置は、中心軸ＣＬを中心にして異なる方向に形成された２つの案内倣い面５１Ａ，５１Ｂが、ガイド部材５０に設けられ、コネクタ固定部材１４０５に配置された第１マグネットＭ１と、アダプタ固定部材１６０３に固定されガイド部材５０にコネクタ固定部材１４０５を挿入する際に、コネクタ固定部材１４０５の突起部１５５０が２つの案内倣い面５１Ａ，５１Ｂの先端部に達するのを回避するための磁気的な力を、第１マグネットとの間で発生する第２マグネットＭ２を有する。【選択図】図６
2016041111.tif 000002
【特許請求の範囲】
【請求項１】
第１情報伝達ケーブルの端部と第２情報伝達ケーブルの端部を接続する接続装置であって、
前記第１情報伝達ケーブルを保持し外周面に突起部を有する筒状のコネクタ固定部材を、保持する接続部と、
前記第２情報伝達ケーブルを保持しており、前記コネクタ固定部材を挿入することで、前記第１情報伝達ケーブルの端部と前記第２情報伝達ケーブルの端部を接続するための筒状のアダプタ固定部材と、を備え、
前記アダプタ固定部材は内部にガイド部材を有し、前記ガイド部材に前記コネクタ固定部材を挿入する際に、前記コネクタ固定部材の前記突起部を、前記第１情報伝達ケーブルと前記第２情報伝達ケーブルの中心軸を中心にして旋回して案内するための案内倣い面が、前記ガイド部材に設けられ、
前記コネクタ固定部材に配置された第１マグネットと、
前記アダプタ固定部材に固定され、前記ガイド部材に前記コネクタ固定部材を挿入する際に、前記コネクタ固定部材の前記突起部が前記案内倣い面の先端部に達するのを回避するための磁気的な力を、前記第１マグネットとの間で発生する第２マグネットと、
を有することを特徴とする接続装置。
【請求項２】
前記第１マグネットと前記第２マグネットは、磁気的吸着力を発揮する異極であることを特徴とする請求項１に記載の接続装置。
【請求項３】
前記第１マグネットと前記第２マグネットは、磁気的反発力を発揮する同極であることを特徴とする請求項１に記載の接続装置。
【請求項４】
前記第１情報伝達ケーブルは、イメージングコアを有していて、前記イメージングコアは光信号または音信号を発生することを特徴とする請求項１乃至３のいずれかに記載の接続装置。
【請求項５】
請求項１乃至４のいずれかに記載の接続装置を備えるイメージング装置であり、
前記接続部を有するカテーテル部と、
前記接続保持体を有し、前記第１情報伝達ケーブルと前記第２情報伝達ケーブルを通じて信号を対象に照射して、前記対象からの信号を前記第１情報伝達ケーブルと前記第２情報伝達ケーブルを通じて得るドライブ装置と、
前記対象からの前記信号による前記ドライブ装置からの信号により前記対象の画像を形成する操作制御装置と、
を備えことを特徴とするイメージング装置。
【発明の詳細な説明】
【技術分野】
【０００１】
本発明は、情報伝達ケーブルを接続するための接続装置およびその接続装置を備えるイメージング装置に関する。
【背景技術】
【０００２】
近年、大容量通信等の発達により、通信分野を中心に光ファイバケーブルを接続するために、光ファイバケーブル用の接続装置が用いられている。
医療分野では、光干渉断層診断装置（ＯＣＴ）等の各種の医療機器が、光を利用した医療診断や治療のために使用されている。これらの医療機器では、例えば光を信号として利用しており、光信号の伝送には光ファイバケーブルを使用している。このため、医療機器の分野でも、光ファイバケーブルを接続するための接続装置の使用が不可欠になっている。
【０００３】
特許文献１には、光イメージング装置に配置された光ファイバケーブルの接続装置が開示されている。特許文献１の図１２に示すように、この接続装置は、カテーテル側に接続されるコネクタ部材４０５と、モータドライブユニット（ＭＤＵ）内のアダプタ固定部材６０３を有している。このカテーテルに接続されるコネクタ部材４０５は、アダプタ固定部材６０３内に挿入されることで光ファイバケーブルの端部同士の接続を行う。
特許文献１の図９に示すように、コネクタ部材４０５は、外周面に凸部７０２を有している。また、図８に示すように、アダプタ固定部材６０３の内部にあるガイド筒６０９は、頂点から分かれた２方向の傾斜端面８０１Ａ，８０１Ｂと、切り欠き部８０２を有している。
【０００４】
図１２に示すように、コネクタ固定部材４０５をアダプタ固定部材６０３内に挿入して光ファイバケーブルの端部同士を接続する際には、コネクタ固定部材４０５の凸部７０２が、アダプタ固定部材６０３の傾斜端面８０１Ａ，８０１Ｂのいずれかに沿って旋回して案内される。従って、コネクタ固定部材４０５とアダプタ固定部材６０３が相対的に回転しながら、コネクタ固定部材４０５の凸部７０２がアダプタ固定部材６０３の切り欠き部８０２にはめ込む。
このようにコネクタ固定部材４０５とアダプタ固定部材６０３が接続することにより、コネクタ固定部材４０５内の光ファイバケーブルの端部とアダプタ固定部材６０３内の光ファイバケーブルの端部を接続するようになっている。
【先行技術文献】
【特許文献】
【０００５】
【特許文献１】米国特許第８３２２９３２号公報
【発明の概要】
【発明が解決しようとする課題】
【０００６】
上述した特許文献１に記載の接続装置では、コネクタ固定部材４０５をアダプタ固定部材６０３に挿入してコネクタ固定部材４０５をアダプタ固定部材６０３に接続しようとすると、コネクタ固定部材４０５の凸部７０２が２方向の傾斜端面８０１Ａ，８０１Ｂの内のいずれかに倣って旋回できるようになっている。
【０００７】
このため、コネクタ固定部材４０５の凸部７０２が、２方向の傾斜端面８０１Ａ，８０１Ｂの尖った先端部に突き当たって、アダプタ固定部材６０３のガイド筒６０９の内面側に潜り込んでコネクタ固定部材４０５の凸部７０２とアダプタ固定部材６０３との噛み込みが生じるおそれがある。
そこで、本発明は、本発明者は鋭意努力して噛み込みが生じないように研究した結果、接続装置において噛み込みが生じないようにして、情報伝達ケーブルの接続を確実に行うことができる接続装置およびその接続装置を備えるイメージング装置を提供することを目的とする。
【課題を解決するための手段】
【０００８】
以下、本発明における特定の構成と、各構成に基づいて発揮される作用効果を説明する。この場合、理解の便宜のため、後述する実施形態を図示した際の符号を、対応する構成に付しているが、本発明が各符号を付した実施形態の具体的構成に限定されるものではない。
本発明の接続装置（２００）は、第１情報伝達ケーブルとしての第１光ファイバケーブル（ＦＣ１）の端部と第２情報伝達ケーブルとしての第２光ファイバケーブル（ＦＣ２）の端部を接続する接続装置であって、前記第１光ファイバケーブル（ＦＣ１）を保持し外周面に突起部（１５５０）を有する筒状のコネクタ固定部材（１４０５）を、保持する接続部（２０１）と、前記第２光ファイバケーブル（ＦＣ２）を保持しており、前記コネクタ固定部材（１４０５）を挿入することで、前記第１光ファイバケーブル（ＦＣ１）の端部と前記第２光ファイバケーブル（ＦＣ２）の端部を接続するための筒状のアダプタ固定部材（１６０３）と、を備え、前記アダプタ固定部材（１６０３）は内部にガイド部材（５０）を有し、前記ガイド部材（５０）に前記コネクタ固定部材（１４０５）を挿入する際に、前記コネクタ固定部材（１４０５）の前記突起部（１５５０）を、前記第１光ファイバケーブル（ＦＣ１）と前記第２光ファイバケーブル（ＦＣ２）の中心軸（ＣＬ）を中心にして旋回して案内する案内倣い面（５１Ａ，５１Ｂ）が、前記ガイド部材（５０）に設けられ、前記コネクタ固定部材（１４０５）に配置された第１マグネット（Ｍ１，Ｍ１１）と、前記アダプタ固定部材（１６０３）に固定され、前記ガイド部材（５０）に前記コネクタ固定部材（１４０５）を挿入する際に、前記コネクタ固定部材（１４０５）の前記突起部（１５５０）が前記案内倣い面（５１Ａ，５１Ｂ）の先端部（５１Ｃ）に達するのを回避するための磁気的な力を、前記第１マグネットとの間で発生する第２マグネット（Ｍ２，Ｍ１２）と、を有することを特徴とする。
【０００９】
上記構成によれば、ガイド部材（５０）にコネクタ固定部材（１４０５）を挿入する際に、第１マグネット（Ｍ１，Ｍ１１）と第２マグネット（Ｍ２，Ｍ１２）は、コネクタ固定部材（１４０５）の突起部（１５５０）が案内倣い面（５１Ａ，５１Ｂ）の先端部（５１Ｃ）に達するのを回避するための磁気的な力を発生する。このため、コネクタ固定部材（１４０５）の突起部（１５５０）が案内倣い面（５１Ａ，５１Ｂ）の先端部（５１Ｃ）に達しないで、案内倣い面に当たるので、突起部（１５５０）が案内倣い面（５１Ａ，５１Ｂ）の先端部（５１Ｃ）に潜り込んで噛み込むのを防ぐことができる。従って、接続装置において噛み込みが生じないようにして、情報伝達ケーブルの接続を確実に行うことができる。
【００１０】
好ましくは、前記第１マグネット（Ｍ１）と前記第２マグネット（Ｍ２）は、磁気的吸着力を発揮する異極であることを特徴とする。
【００１１】
上記構成によれば、マグネットを配置するだけで、マグネットの磁気的な吸着力を用いて突起部（１５５０）が案内倣い面（５１Ａ，５１Ｂ）の先端部（５１Ｃ）に潜り込んで噛み込むのを防ぐことができる。
【００１２】
好ましくは、前記第１マグネット（Ｍ１１）と前記第２マグネット（Ｍ１２）は、磁気的反発力を発揮する同極であることを特徴とする。
【００１３】
上記構成によれば、マグネットを配置するだけで、マグネットの磁気的な反発力を用いて突起部（１５５０）が案内倣い面（５１Ａ，５１Ｂ）の先端部（５１Ｃ）に潜り込んで噛み込むのを防ぐことができる。
【００１４】
好ましくは、前記第１情報伝達ケーブルは、イメージングコアを有していて、前記イメージングコアは光信号または音信号を発生することを特徴とする。
【００１５】
上記構成によれば、イメージングコアは、画像を形成するために、光信号または音信号のいずれでも用いることができる。
【００１６】
本発明の接続装置を備えるイメージング装置（５００）は、前記接続部（２０１）を有するカテーテル部（１００）と、前記接続保持体（７）を有し、第１情報伝達ケーブルとしての前記第１光ファイバケーブル（ＦＣ１）と第２情報伝達ケーブルとしての前記第２光ファイバケーブル（ＦＣ２）を通じて信号を対象に照射して、前記対象からの信号を前記第１光ファイバケーブル（ＦＣ１）と前記第２光ファイバケーブル（ＦＣ２）を通じて得るドライブ装置（１）と、前記対象からの前記信号による前記ドライブ装置（１）からの信号により前記対象の画像を形成する操作制御装置（５０１）と、を備えことを特徴とする。
【００１７】
上記構成によれば、ガイド部材（５０）にコネクタ固定部材（１４０５）を挿入する際に、第１マグネット（Ｍ１，Ｍ１１）と第２マグネット（Ｍ２，Ｍ１２）は、コネクタ固定部材（１４０５）の突起部（１５５０，５５０）が案内倣い面（５１Ａ，５１Ｂ５１Ｃ）の先端部（５１Ｃ，５５Ａ）に達するのを回避するための磁気的な力を発生する。このため、コネクタ固定部材（１４０５）の突起部（１５５０，５５０）が案内倣い面（５１Ａ，５１Ｂ）の先端部に達しないで、案内倣い面に当たるので、突起部（１５５０）が案内倣い面（５１Ａ，５１Ｂ，５１Ｃ）の先端部（５１Ｃ，５５Ａ）に潜り込んで噛み込むことを防ぐことができる。従って、イメージング装置の接続装置において噛み込みが生じないようにして、情報伝達ケーブルの接続を確実に行うことができる。
【発明の効果】
【００１８】
本発明は、接続装置において噛み込みが生じないようにして、情報伝達ケーブルの接続を確実に行うことができる接続装置およびその接続装置を備えるイメージング装置を提供することができる。
【図面の簡単な説明】
【００１９】
【図１】本発明の第１実施形態の接続装置を備えるイメージング装置としての光干渉断層診断装置の外観を示す斜視図である。
【図２】図１に示すスキャナ／プルバック部（モータドライブユニット：ＭＤＵ）の外観を示す斜視図である。
【図３】図１に示すカテーテル部の構造例を示す図である。
【図４】図３に示す駆動シャフトコネクタの接続部の領域部分ＢＢと、スキャナ／プルバック部のカテーテル接続部の領域部分ＣＣの構造例を示す断面図である。
【図５】コネクタ固定部材の形状例を示す図である。
【図６】図５に示すコネクタ固定部材と、アダプタ固定部材を示している斜視図である。
【図７】コネクタ固定部材と、アダプタ固定部材を接続している状態を示す斜視図である。
【図８】駆動シャフトコネクタの接続部と、スキャナ／プルバック部のカテーテル接続部とを接続して固定する構造例を示し、固定する直前の状態を示す図である。
【図９】駆動シャフトコネクタの接続部と、スキャナ／プルバック部のカテーテル接続部の固定動作の途中状態を示す図である。
【図１０】駆動シャフトコネクタの接続部と、スキャナ／プルバック部のカテーテル接続部とを固定した状態を示す図である。
【図１１】本発明の第２実施形態を示す斜視図である。
【図１２】本発明の第２実施形態の平面図である。
【図１３】本発明の第２実施形態において、コネクタ固定部材とアダプタ固定部材を接続している状態を示す斜視図である。
【図１４】本発明の第３実施形態を示す斜視図である。
【図１５】本発明の第３実施形態の平面図である。
【図１６】本発明の第３実施形態において、コネクタ固定部材とアダプタ固定部材を接続している状態を示す斜視図である。
【図１７】本発明の第４実施形態を示す斜視図である。
【図１８】本発明の第４実施形態の平面図である。
【図１９】本発明の第４実施形態において、コネクタ固定部材とアダプタ固定部材を接続している状態を示す斜視図である。
【図２０】本発明の第５実施形態の断面図である。
【発明を実施するための形態】
【００２０】
以下に、本発明の好ましい実施形態を、図面を参照して詳しく説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
（第１実施形態）
図１は、本発明の第１実施形態の接続装置を備える光干渉断層診断装置５００の外観を示す斜視図である。この光干渉断層診断装置５００は、イメージング装置の中の特に光イメージング装置の一例である。
しかし、本発明におけるイメージング装置は、光信号を用いて画像を形成する光干渉断層診断装置２００に限らず、他の医療機器、例えば超音波信号を用いて画像を形成する血管内超音波イメージングシステムであっても良い。
【００２１】
図１に示すように、光干渉断層診断装置５００は、着脱可能な光プローブであるカテーテル部１００と、スキャナ／プルバック部１と、操作制御装置５０１とを備える。スキャナ／プルバック部１と操作制御装置５０１は、信号ケーブル５０２により接続されている。
カテーテル部１００は、直接患者の血管内に挿入され、光イメージングコアより照射される低干渉性光を用いて血管内部の状態を測定する。カテーテル部１００の接続部２０１は、スキャナ／プルバック部１のカテーテル接続部７に対して、着脱可能に接続される。スキャナ／プルバック部１は、モータドライブユニット（ＭＤＵ）あるいはドライブ装置ともいい、カテーテル部１００内の光イメージングコアのラジアル走査を実行する。
【００２２】
図１に示す操作制御装置５０１は、光干渉断層診断を行う際に、各種の設定値を入力するための機能、測定により得られるデータを処理して、断面画像として表示するための機能等を有する。操作制御装置５０１は、本体制御部５０３と、ＬＣＤモニタ５０４と、操作パネル５０５と、プリンタ及びレコーダ５０６を有する。この本体制御部５０３は、測定により得られたデータを処理したり、処理結果を出力する。ＬＣＤモニタ５０４は、処理結果を表示する。操作パネル５０５では、ユーザが各種設定値を入力する。プリンタ及びレコーダ５０６は、処理結果を印刷したり、データとして記憶する。
【００２３】
次に、図２を参照して、スキャナ／プルバック部１の一例を説明する。図２は、図１に示すスキャナ／プルバック部１の一例の外観を示す斜視図である。
図２に示すスキャナ／プルバック部１は、プルバックユニット２と、スキャナユニット３を有している。プルバックユニット２は、カテーテルクランプ４、操作ボタン類、プルバックモータ６等を有している。スキャナユニット３は、カテーテル接続部７と、スキャナモータ８を有している。
【００２４】
図２に示すスキャナ／プルバック部１は、内部の波長可変半導体レーザで出力させた近赤外光を、図１のカテーテル部１００を通じて血管壁に照射して、対象からの反射光を受けて信号に変え、この信号を信号ケーブル５０２を通じて本体制御部５０３に送る。本体制御部５０３は、得られた信号を処理することで、光干渉断層画像（ＯＣＴ画像）を取得する。例えば、スキャナ／プルバック部１は、波長可変半導体レーザで出力させた近赤外光を、測定光と参照光の２つの経路に分割して、測定光を指定するカテーテル部１００を通じて血管壁に回転しながら放射状に照射して、その反射光を、カテーテル部１００を通じて取得する。本体制御部５０３は、この取得した反射光と参照光とを干渉させることで発生する干渉信号をフーリエ変換することにより、血管壁の深さに対する反射率情報が得られ、その情報を回転方向に並べることで、血管の光干渉断層画像を得る。
【００２５】
図３は、図１に示すカテーテル部１００の構造例を示す図である。
図３に示すカテーテル部１００は、カテーテルシース１０１と、コネクタ部１０２を有する。カテーテルシース１０１の先端部には、ガイドワイヤルーメンを構成するチューブ１０３が設けられている。カテーテルシース１０１は、チューブ１０３からコネクタ部１０２にかけて連続して形成されている。
【００２６】
図３に示すカテーテルシース１０１の内部には、測定光を送受信する光送受信部１２１と、光ファイバケーブルを収容している。光イメージングコア１２０がカテーテルシース１０１のほぼ全長にわたって通して配置されている。光イメージングコア１２０は、光ファイバケーブルを回転させる駆動力を伝達するためのコイル状の駆動シャフト１２２を備える。
【００２７】
図３に示すコネクタ部１０２は、シースコネクタ１０２Ａと、駆動シャフトコネクタ１０２Ｂを備える。駆動シャフトコネクタ１０２Ｂは、駆動シャフト１２２の基端部に固定されている。
【００２８】
駆動シャフトコネクタ１０２Ｂの先端部分は、図２に示すスキャナ／プルバック部１のカテーテル接続保持体７に対して、着脱可能に接続できる。本発明の実施形態の接続装置２００は、駆動シャフトコネクタ１０２Ｂの接続部２０１と、スキャナ／プルバック部１のカテーテル接続保持体７とを接続すると、接続部２０１内の光ファイバケーブルの端部と、カテーテル接続保持体７内の光ファイバケーブルの端部とを接続して結合できるが、接続部２０１とカテーテル接続保持体７とを結合する際に噛み込みが生じないようにして、光ファイバケーブルの接続を確実にしかもスムーズに行うことができる。
【００２９】
図５は、図３に示す駆動シャフトコネクタ１０２Ｂの接続部２０１の領域部分ＢＢと、スキャナ／プルバック部１のカテーテル接続保持体７の領域部分ＣＣの構造例を示す断面図である。
【００３０】
図５に示す駆動シャフトコネクタ１０２Ｂの接続部２０１と、スキャナ／プルバック部１のカテーテル接続保持体７は、本発明の実施形態の接続装置２００を構成している。この接続装置２００は、駆動シャフトコネクタ１０２Ｂの接続部２０１の中心軸ＣＬに位置されている光ファイバケーブルＦＣ１の端部７７７と、スキャナ／プルバック部１のカテーテル接続保持体７の中心軸ＣＬに位置されている光ファイバケーブルＦＣ２の端部６０７を突き合わせて接続することができる。
【００３１】
駆動シャフトコネクタ１０２Ｂの接続部２０１は、コネクタとも呼び、スキャナ／プルバック部１のカテーテル接続保持体７は、このコネクタである接続部２０１を受けるためのアダプタと呼ぶことができる。一方と他方の光ファイバケーブルＦＣ１、ＦＣ２は、例えばシングルモード光ファイバケーブルであり、光を伝送するコアと、このコアよりも屈折率のやや小さいクラッドにより構成され、クラッドの外周面には、樹脂の被覆材が設けられている。
【００３２】
まず、図５に示す駆動シャフトコネクタ１０２Ｂの接続部２０１の構造例を説明する。
光ファイバケーブルＦＣ１用のコネクタ部材４０４は、接続パイプ４０２を介して駆動シャフト１２２に接合されている。コネクタ固定部材１４０５は、円筒形状の部材であり、端部には円盤状のフランジ４０７を有している。このフランジ４０７は、コネクタ固定部材１４０５の端部に形成されている。このコネクタ部材４０４は、円筒形状のコネクタ固定部材１４０５の内部に固定されている。コネクタ固定部材１４０５は、駆動シャフトコネクタ１０２Ｂのハウジング４０８の内部に、回転自在に保持されている。ハウジング４０８の外周面には、反対の位置に１対の突起部４１１が形成されている。
【００３３】
図５に示すように、コネクタ部材４０４の先端には、フェルール４０６が設けられており、このフェルール４０６は光ファイバケーブルＦＣ１の端部７７７に固定されている。コネクタ部材４０４の先端部には、凸部７０４と、丸い突起７０５が形成されている。光ファイバケーブルＦＣ１の端部７７７は、端面での光の反射によりノイズが発生するのを防ぐために、光の進行方向に対して傾斜角度が形成されたＡＰＣタイプに加工されている。
図５に示すように、ハウジング４０８内には、フランジ４０７と接触可能な近傍の位置に、弾性部材４０９が配置されている。この弾性部材４０９は、駆動シャフトコネクタ１０２Ｂの接続部２０１と、スキャナ／プルバック部１のカテーテル接続保持体７を接続する際に、フランジ４０７を押圧することにより、光ファイバケーブルＦＣ１の端部７７７と光ファイバケーブルＦＣ２の端部６０７との接続動作を容易にする。光ファイバケーブルＦＣ１の端部７７７と光ファイバケーブルＦＣ２の端部６０７の接続（結合）後は、弾性部材４０９とフランジ４０７は非接触となるため、内部駆動時に内部部材の破損や変形を防ぐことができる。弾性部材４０９は、例えば合成ゴム、金属バネ、粘着性の低いシリコンゴム等である。
【００３４】
次に、図５に示すスキャナ／プルバック部１のカテーテル接続保持体７の構造例を説明する。
図５に示すハウジング６０１は、カテーテル接続保持体７のヘッド部７Ａの内部に固定されている。ハウジング６０１の内面には、コネクタ接続時に駆動シャフトコネクタ１０２Ｂのハウジング４０８がはめ込まれる。ヘッド部７Ａの内部は、溝部入口７Ｂを有している。ハウジング６０１には、ヘッド部７Ａの溝部入口７Ｂからつながる一対の溝部７Ｃが設けられている。一対の溝部７Ｃは、ハウジング４０８の一対の突起部４１１を受け入れ可能である。
【００３５】
図５に示すアダプタ部材６０２は、コネクタ部材４０４と結合される部分であり、ハウジング６０１に対して、相対的に回転可能に保持されている。アダプタ固定部材１６０３は、円筒形状部材であり、内部にアダプタ部材６０２が相対的に回転不可能なように固定されている。すなわち、アダプタ部材６０２とアダプタ固定部材１６０３は一体化されている。アダプタ固定部材１６０３は、コネクタ部材４０４との結合に際して、コネクタ固定部材１４０５と協働してコネクタ部材４０４の周方向の位置合わせを行う。
アダプタ固定部材１６０３は、駆動力中継パイプ６０４に接合されている。回転駆動用の図１１に示すスキャナモータ８の駆動力は、駆動力中継パイプ６０４を介してアダプタ固定部材１６０３に伝えることにより、コネクタ部材４０４の結合後に、駆動シャフト１２２に伝達されるようになっている。アダプタ固定部材１６０３としては、０ｄＢ−アッテネータ（０ｄＢ−ＡＴＴ）を採用しているがこれに限らない。
【００３６】
図５に示すように、アダプタ固定部材１６０３の内面には、一対の爪部６０５が形成されている。一対の爪部６０５は、コネクタ部材４０４と係合してコネクタ部材４０４とアダプタ部材６０２とを、着脱可能に強固に一体化する。アダプタ部材６０２には、コネクタ部材４０４のフェルール４０６を受け入れるメス型の穴６０６が形成され、この穴６０６の奥には、ＡＰＣタイプに加工された光ファイバケーブル（ＦＣ２）の端部６０７が固定されている。
【００３７】
図５に示すアダプタ固定部材１６０３は、外側の筒状の保護管６０８と、内側の筒状のガイド部材５０を有する。ガイド部材５０は、保護管６０８の内面に固定されているか、一体になるように形成されている。
駆動シャフトコネクタ１０２Ｂの接続部２０１とスキャナ／プルバック部１のカテーテル接続保持体７を接合する際に、ガイド部材５０は、コネクタ固定部材１４０５を、中心軸ＣＬを中心として、相対的に旋回して案内する。これにより、コネクタ固定部材１４０５をアダプタ固定部材１６０３内に確実にしかもスムーズに案内して、中心軸ＣＬを中心として旋回方向について位置合わせを行う役割を有する。
【００３８】
次に、図５を参照して、図５に示すコネクタ固定部材１４０５の形状について、さらに説明する。図５は、コネクタ固定部材１４０５の形状を示している。
すでに説明したように、コネクタ固定部材１４０５は、フランジ４０７と、左右対称のスリット７０３，７０３と、１つの突起部１５５０を有している。コネクタ固定部材１４０５の内部には、コネクタ部材４０４が配置されており、コネクタ部材４０４からはフェルール４０６が突出している。コネクタ固定部材１４０５の外周面には、突起部材（ガイドキーともいう）１５５０が設けられている。
【００３９】
この突起部１５５０は、ほぼ直方体形状を有しており、コネクタ固定部材１４０５の中心軸ＣＬと平行に形成されていて、突起部１５５０の先端部は２つの傾斜した案内面１５５１，１５５２を有しており、案内面１５５１，１５５２は、中心軸ＣＬに対して傾斜している。
【００４０】
各スリット７０３には、コネクタ部材４０４の外周面の一部が露出している。このコネクタ部材４０４の外周面には、凸部７０４と、丸い突起７０５が形成されており、凸部７０４と丸い突起７０５は、スリット７０３内に位置されている。
【００４１】
次に、図６と図７を参照して、コネクタ固定部材１４０５と、アダプタ固定部材１６０３の形状例を説明する。図６は、図５に示すコネクタ固定部材１４０５と、アダプタ固定部材１６０３を示している斜視図である。図７は、コネクタ固定部材１４０５と、アダプタ固定部材１６０３を接続している状態を示す斜視図である。
図６に示すように、アダプタ固定部材１６０３は、円筒状の保護管６０８と、保護管６０８の内部に設けられたガイド部材５０を有しているが、ガイド部材５０は、２つの案内倣い面５１Ａ，５１Ｂを有している。２つの案内倣い面５１Ａ，５１Ｂの先端部は、頂点部分５１Ｃとなっており、２つの案内倣い面５１Ａ，５１Ｂの後端部は、細長いガイド溝部５６に繋がっている。このガイド溝部５６は、ガイド部材５０において、中心軸ＣＬに平行に形成されている。このガイド溝部５６には、コネクタ固定部材１４０５の突起部１５５０がはまり込むことで中心軸ＣＬを中心とする旋回方向の位置決めと、中心軸ＣＬに沿った位置決めが行われるようになっている。
【００４２】
図５に示すように、保護管６０８は、ガイド部材５０を覆っていることにより、２つの案内倣い面５１Ａ，５１Ｂの先端部としての頂点部分５１Ｃが尖っているにもかかわらず、ユーザの指が万が一にもこの頂点部分５５Ｃに触れない様にして、安全面の配慮をしている。しかも、保護管６０８が設けられているので、頂点部分５１Ｃが何かに当たって破損するのを防いでいる。また、保護管６０８は、コネクタ固定部材１４０５を中心軸ＣＬに沿って挿入する際のガイドを行う機能を有する。
【００４３】
コネクタ固定部材１４０５と、アダプタ固定部材１６０３を接続する際には、突起部１５５０の一方の案内面１５５１が、ガイド部材５０の一方の案内倣い面５１Ａに倣って、中心軸ＣＬを中心にして旋回方向に案内されるか、突起部１５５０の他方の案内面１５５２が、ガイド部材５０の他方の案内倣い面５１Ｂに倣って、中心軸ＣＬを中心にして旋回方向に案内されるようになっている。ガイド部材５０における一方の案内倣い面５１Ａと他方の案内倣い面５１Ｂは、案内部５１を構成している。これにより、コネクタ固定部材１４０５がアダプタ固定部材１６０３に対して、相対的に旋回方向に旋回されると、ガイド溝部５６には、コネクタ固定部材１４０５の突起部１５５０がはまり込んで、コネクタ固定部材１４０５の突起部１５５０が、中心軸ＣＬを中心とする旋回方向の位置決めと、中心軸ＣＬに沿った位置決めが行われる。
【００４４】
図６に示すように、コネクタ固定部材１４０５の先端部には、第１マグネットＭ１が配置されている。また、アダプタ固定部材１６０３の保護管６０８の先端部には、第２マグネットＭ２が配置されている。第１マグネットＭ１と第２マグネットＭ２は、例えば円形状であり、磁気的に吸着力を発揮できるように、互いに異なる磁極である。例えば第１マグネットＭ１がＳ極であれば、第２マグネットＭ２はＮ極であり、第１マグネットＭ１がＮ極であれば、第２マグネットＭ２はＳ極である。
図６と図７に示すように、第１マグネットＭ１は、コネクタ固定部材１４０５の先端部において、突起部１５５０の延長線上に配置されている。これに対して、第２マグネットＭ２は、一例として頂点部分５１Ｃからはずれた位置である一方の案内倣い面５１Ａ側寄りの位置に配置されている。
【００４５】
次に、図６と図７を参照して、コネクタ固定部材１４０５と、アダプタ固定部材１６０３のガイド部材５０とを結合する旋回方向に沿った操作を説明する。
ユーザが、図３に示す駆動シャフトコネクタ１０２Ｂの接続部２０１を手で持って、スキャナ／プルバック部１のカテーテル接続保持体７にはめ込んで接続する際には、図６（Ａ）に示すように、コネクタ固定部材１４０５の先端部が、アダプタ固定部材１６０３のガイド部材５０に接近する。
【００４６】
そして、図７（Ａ）に示すように、コネクタ固定部材１４０５の突起部１５５０が、頂点部分５１Ｃに接近するが、第１マグネットＭ１と第２マグネットＭ２とが磁気的に吸着し合うので、突起部１５５０の一方の案内面１５５１が、頂点部分５１Ｃを避けてガイド部材５０の一方の案内倣い面５１Ａ側に引き寄せられる。すなわち、突起部１５５０の先端部は頂点部分５１Ｃには当たらずに、突起部１５５０は、磁気的吸引力により自動的にガイド部材５０の一方の案内倣い面５１Ａに倣うので、突起部１５５０が、ガイド部材５０の他方の案内倣い面５１Ｂに倣うことは無い。
これにより、コネクタ固定部材１４０５の突起部１５５０が、磁気的吸引力により、ガイド部材５０の頂点部分５１Ｃ（矢印Ｐで示す位置）を避けることができるので、突起部１５５０が、ガイド部材５０の頂点部分５１Ｃには当たらず、ガイド部材５０の頂点部分５１Ｃの内側に潜り込んで噛み合ってしまうことを防止できる。
【００４７】
突起部１５５０が、磁気的吸引力により自動的にガイド部材５０の一方の案内倣い面５１Ａに倣って、相対的に旋回すると、図６に示すように、突起部１５５０の先端部が、一方の案内倣い面５１Ａからガイド溝部５６の位置まで達する。そこで、ユーザは、図３の駆動シャフトコネクタ１０２Ｂの接続部２０１を手でさらに押すことにより、突起部１５５０がガイド溝部５６の内端部までガイドされ、コネクタ固定部材１４０５の突起部１５５０が、中心軸ＣＬを中心とする旋回方向の位置決めと、中心軸ＣＬに沿った位置決めが行われる。
【００４８】
これにより、図５に示すアダプタ固定部材１６０３一対の爪部６０５が、それぞれコネクタ部材４０４の凸部７０４に噛み合い、アダプタ部材６０２内にはフェルール４０６がはめ込まれる。従って、光ファイバケーブルＦＣ１の端部と光ファイバケーブルＦＣ２の端部との結合を、確実にスムーズに行うことができる。
このように、ユーザが、図３に示す駆動シャフトコネクタ１０２Ｂの接続部２０１を手で持って、スキャナ／プルバック部１のカテーテル接続保持体７に装着する際には、光ファイバケーブルＦＣ１の端部７７７と光ファイバケーブルＦＣ２の端部６０７との結合を、確実にスムーズに行うことができる。
【００４９】
図８から図１０は、駆動シャフトコネクタ１０２Ｂの接続部２０１と、スキャナ／プルバック部１のカテーテル接続保持体７とを接続して固定する構造例を示している。そこで、図８から図１０を参照して、駆動シャフトコネクタ１０２Ｂの接続部２０１と、スキャナ／プルバック部１のカテーテル接続保持体７とを接続して固定する手順例を説明するが、接続して固定する構造は、図示例に限らず、任意の構造を採用できる。
図８は、駆動シャフトコネクタ１０２Ｂの接続部２０１と、スキャナ／プルバック部１のカテーテル接続保持体７とを接続して固定する直前の状態を示す図である。図９は、駆動シャフトコネクタ１０２Ｂの接続部２０１と、スキャナ／プルバック部１のカテーテル接続保持体７とを固定する動作の途中状態を示す図である。図１０は、駆動シャフトコネクタ１０２Ｂの接続部２０１と、スキャナ／プルバック部１のカテーテル接続保持体７とを固定した状態を示す図である。
【００５０】
図８（Ａ）と図８（Ｂ）に示すように、接続部２０１の１対の突起部４１１は、カテーテル接続保持体７の溝部７Ｃに対して挿入方向Ｔに沿って挿入する。この時には、図８（Ｂ）に示すように、フランジ４０７と弾性部材４０９は非接触状態である。
次に、図９（Ａ）と図９（Ｂ）に示すように、接続部２０１のハウジング４０８を、さらに挿入方向Ｔに入れて、突起部４１１が溝部７Ｃの最も深い部分に位置すると、図９（Ｂ）に示すように、フランジ４０７は、弾性部材４０９を押圧して、弾性部材４０９は圧縮される。この時に、図５に示す光ファイバケーブルＦＣ１の端部７７７と光ファイバケーブルＦＣ２の端部６０７が、上述したように結合されることになる。
【００５１】
さらに、図１０（Ａ）と図１０（Ｂ）に示すように、突起部４１１が溝部７Ｃに沿って摺動させると、突起部４１１が挿入方向Ｔに対して垂直な旋回方向に進み、突起部４１１が溝部７Ｃの終端部で止まる。この時には、図１０（Ｂ）に示すように、フランジ４０７と弾性部材４０９とが離れて非接触状態に戻る。
このようにして、駆動シャフトコネクタ１０２Ｂの接続部２０１と、スキャナ／プルバック部１の接続保持体７とを接続して固定することができる。
【００５２】
（第２実施形態）
次に、図１１と図１２と図１３を参照して、本発明の第２実施形態を説明する。
図１１は、本発明の第２実施形態を示す斜視図である。図１２は、本発明の第２実施形態の平面図であり、図１３は、本発明の第２実施形態において、コネクタ固定部材１４０５と、アダプタ固定部材１６０３を接続している状態を示す斜視図である。
図１１と図１２に示す第２実施形態では、コネクタ固定部材１４０５とアダプタ固定部材１６０３のガイド部材５０の構造は、上述した第１実施形態のコネクタ固定部材１４０５とアダプタ固定部材１６０３のガイド部材５０と同様であるので、その説明を用いることにする。
【００５３】
図１１と図１２に示す第２実施形態で異なるのは、第１マグネットＭ１１と第２マグネットＭ１２が、磁気的に吸着し合うのではなく、磁気的に反発する。このため、図１２に示すように、第１マグネットＭ１１と第２マグネットＭ１２は同磁極である。第１マグネットＭ１１は、コネクタ固定部材１４０５の先端部において、突起部１５５０の延長線上に配置されている。これに対して、第２マグネットＭ１２は、保護管６０８において頂点部分５１Ｃに対応する位置に配置されている。言い換えれば、第１マグネットＭ１１と第２マグネットＭ１２は、共に中心線ＣＬと平行な直線ＴＲに沿って配置されている。
【００５４】
図１２に示すように、コネクタ固定部材１４０５の先端部が、アダプタ固定部材１６０３のガイド部材５０に接近する。図１３（Ａ）に示すように、コネクタ固定部材１４０５の突起部１５５０が、頂点部分５１Ｃに接近するが、第１マグネットＭ１１と第２マグネットＭ１２とが磁気的に反発し合うので、突起部１５５０の一方の案内面１５５１が、頂点部分５１Ｃを避けてガイド部材５０の一方の案内倣い面５１Ａ側に引き寄せられる。すなわち、突起部１５５０の先端部は頂点部分５１Ｃには当たらずに、突起部１５５０は、磁気的反発力により自動的にガイド部材５０の一方の案内倣い面５１Ａに倣うので、突起部１５５０が、ガイド部材５０の他方の案内倣い面５１Ｂに倣うことは無い。
言い換えれば、突起部１５５０は、ガイド部材５０の他方の案内習い面５１Ｂ側に引き寄せられることになる。
これにより、コネクタ固定部材１４０５の突起部１５５０が、磁気的反発力により、ガイド部材５０の頂点部分５１Ｃ（矢印Ｐで示す位置）を避けることができるので、突起部１５５０が、ガイド部材５０の頂点部分５１Ｃに当たらず、頂点部分５１Ｃの内側に潜り込んで噛み合ってしまうことを防止できる。
【００５５】
（第３実施形態）
次に、図１４と図１５と図１６を参照して、本発明の第３実施形態を説明する。
図１４は、本発明の第３実施形態を示す斜視図である。図１５は、本発明の第３実施形態の平面図であり、図１６は、本発明の第３実施形態において、コネクタ固定部材１４０５と、アダプタ固定部材１６０３を接続している状態を示す斜視図である。
【００５６】
本発明の第３実施形態におけるコネクタ固定部材１４０５とアダプタ固定部材１６０３の構造は、上述した第１実施形態のコネクタ固定部材１４０５とアダプタ固定部材１６０３の構造と、ほぼ同様である。
しかし、図１４に示すコネクタ固定部材１４０５の突起部５５０の形状は、図６に示すコネクタ固定部材１４０５の突起部１５５０の形状とはやや異なる。また、図１４に示すアダプタ固定部材１６０３のガイド部材５０Ｒの形状は、図６に示すアダプタ固定部材１６０３のガイド部材５０とは異なる。
【００５７】
図１４と図１５に示すように、突起部５５０は、コネクタ固定部材１４０５の中心軸ＣＬと平行に形成されていて、突起部５５０の前端部は、１つの傾斜面部５５１になっている。傾斜面部５５１は、中止軸ＣＬに対して直交しているのではなく、傾斜している。突起部５５０は、左右のスリット７０３，７０３に対して、中心軸ＣＬを中心とする回転方向に関してそれぞれ角度９０度隔てた位置に形成されている。
【００５８】
しかも、図１４と図１５に示すように、ガイド部材５０Ｒは円筒状の部材であり、ガイド部材５０Ｒは、１つの螺旋状の案内倣い面５５と、ガイド溝部５６を有している。１つの螺旋状の案内倣い面５５は、螺旋状の案内倣い面５５の先端部である螺旋頂点部分５５Ａから、螺旋状の案内倣い面５５の後端部である螺旋後端部分５５Ｂまで、中心軸ＣＬを中心として、一方向に沿って滑らかに傾斜して形成されており、所定の傾斜角度、例えば傾斜角度３０度あるいは１５度で滑らかに形成されている。ガイド溝部５６は、中心軸ＣＬに平行に形成されている。ガイド溝部５６は、螺旋頂点部分５５Ａと螺旋後端部分５５Ｂから、中心軸ＣＬに沿って形成されている。
【００５９】
この螺旋状の案内倣い面５５の傾斜角度に合わせて、突起部５５０の傾斜面部５５１が形成されている。これにより、突起部５５０の傾斜面部５５１は、１つの螺旋状の案内倣い面５５に沿って、螺旋頂点部分５５Ａから螺旋後端部分５５Ｂまでスムーズに案内され、しかもガイド溝部５６内に導くことができるようになっている。
また、図５に示すように、保護管６０８は、ガイド部材５０Ｒを覆っていることにより、案内倣い面５５の螺旋頂点部分５５Ａが尖っているにもかかわらず、ユーザの指が万が一にもこの螺旋頂点部分５５Ａに触れない様にして、安全面の配慮をしている。しかも、保護管６０８が設けられているので、螺旋頂点部分５５Ａが何かに当たって破損するのを防いでいる。また、保護管６０８は、コネクタ固定部材１４０５を中心軸ＣＬに沿って挿入する際のガイドを行う機能を有する。
【００６０】
図１５と図１６に示すように、コネクタ固定部材１４０５の先端部には、第１マグネットＭ１が配置されている。また、アダプタ固定部材１６０３の保護管６０８の先端部には、第２マグネットＭ２が配置されている。第１マグネットＭ１と第２マグネットＭ２は、磁気的に吸着力を発揮できるように、互いに異なる磁極である。
第１マグネットＭ１は、コネクタ固定部材１４０５の先端部において、突起部５５０の延長線上に配置されている。これに対して、第２マグネットＭ２は、螺旋頂点部分５５Ａから旋回方向にずれた位置に配置されている。
【００６１】
図１５と図１６（Ａ）に示すように、コネクタ固定部材１４０５の突起部５５０が、螺旋頂点部分５５Ａに接近しようとするが、第１マグネットＭ１と第２マグネットＭ２とが磁気的に吸着し合うので、図１６（Ｂ）に示すように、突起部５５０の先端部は、螺旋頂点部分５５Ａを避けてガイド部材５０の螺旋状の案内倣い面５５の途中の位置に引き寄せられる。すなわち、突起部５５０の先端部は、螺旋頂点部分５５Ａには当たらずに、突起部５５０は、磁気的吸引力により自動的にガイド部材５０Ｒの案内倣い面５５に倣う。
これにより、コネクタ固定部材１４０５の突起部５５０が、磁気的吸引力により、ガイド部材５０Ｒの螺旋頂点部分５５Ａ（矢印Ｐで示す位置）を避けることができるので、突起部５５０が、ガイド部材５０Ｒの螺旋頂点部分５５Ａに当たらず、ガイド部材５０Ｒの螺旋頂点部分５５Ａの内側に潜り込んで噛み合ってしまうことを防止できる。
【００６２】
そして、突起部５５０が、磁気的吸引力により自動的にガイド部材５０Ｒの案内倣い面５５に倣って、相対的に旋回すると、突起部５５０の先端部が、案内倣い面５５の螺旋後端部分５５Ｂからガイド溝部５６の位置まで達する。そこで、ユーザは、図３の駆動シャフトコネクタ１０２Ｂの接続部２０１を手でさらに押すことにより、突起部１５５０がガイド溝部５６の内端部までガイドされる。
【００６３】
これにより、図５に示すアダプタ固定部材１６０３一対の爪部６０５が、それぞれコネクタ部材４０４の凸部７０４に噛み合い、アダプタ部材６０２にはフェルール４０６がはめ込まれる。従って、光ファイバケーブルＦＣ１の端部７７７と光ファイバケーブルＦＣ２の端部６０７との結合を、確実にスムーズに行うことができる。
【００６４】
（第４実施形態）
次に、図１７と図１８と図１９図を参照して、本発明の第４実施形態を説明する。
図１７は、本発明の第４実施形態を示す斜視図である。図１８は、本発明の第４実施形態の平面図であり、図１９図は、本発明の第４実施形態において、コネクタ固定部材１４０５と、アダプタ固定部材１６０３を接続している状態を示す斜視図である。
【００６５】
図１７から図１９図に示す本発明の第４実施形態は、本発明の第３実施形態とほぼ同様な構造である。しかし、第４実施形態が、第３実施形態と異なるのは、第１マグネットＭ１１と第２マグネットＭ１２とが、磁気的に吸着し合うのではなく、磁気的に反発するようになっている。このため、第１マグネットＭ１１と第２マグネットＭ１２は同磁極である。
図１８に示すように、第１マグネットＭ１１は、コネクタ固定部材１４０５の先端部において、突起部５５０の延長線上に配置されている。これに対して、第２マグネットＭ１２は、保護管６０８において螺旋頂点部分５５Ａに対応する位置に配置されている。言い換えれば、第１マグネットＭ１１と第２マグネットＭ１２は、共に中心線ＣＬと平行な直線にほぼ沿って配置されている。
【００６６】
図１８と図１９（Ａ）に示すように、コネクタ固定部材１４０５の突起部５５０が、螺旋頂点部分５５Ａに接近しようとするが、第１マグネットＭ１１と第２マグネットＭ１２とが磁気的に反発し合うので、図１６（Ｂ）に示すように、突起部５５０の先端部は、螺旋頂点部分５５Ａを避けてガイド部材５０Ｒの螺旋状の案内倣い面５５に引き寄せられる。すなわち、突起部５５０の先端部は螺旋頂点部分５５Ａには当たらずに、突起部５５０は、磁気的吸引力により自動的にガイド部材５０Ｒの案内倣い面５５の途中の位置に倣う。
言い換えれば、突起部５５０の先端部は、ガイド溝部５６側に引き寄せられることになる。
これにより、コネクタ固定部材１４０５の突起部５５０が、磁気的反発力により、ガイド部材５０の螺旋頂点部分５５Ａを避けるので、突起部５５０が、ガイド部材５０の螺旋頂点部分５５Ａに当たらず、ガイド部材５０の螺旋頂点部分５５Ａの内側に潜り込んで噛み合ってしまうことを防止できる。
ところで、上述した実施形態では、例えば図４と図６に例示するように、１つのガイド溝部（スロットともいう）５６がガイド部材５０に設けられているが、これに限らず、各実施形態において、２つ以上の複数のガイド溝部５６がガイド部材５０に、設けられるようにしても良い。
【００６７】
本発明の接続装置２００は、第１情報伝達ケーブルとしての第１光ファイバケーブルＦＣ１を保持し外周面に突起部１５５０を有する筒状のコネクタ固定部材１４０５を、保持する接続部２０１と、第２情報伝達ケーブルとしての第２光ファイバケーブルＦＣ２を保持しており、コネクタ固定部材１４０５を挿入することで、第１光ファイバケーブルＦＣ１の端部と第２光ファイバケーブルＦＣ２の端部を接続するための筒状のアダプタ固定部材１６０３と、を備え、アダプタ固定部材１６０３は内部にガイド部材５０を有し、ガイド部材５０にコネクタ固定部材１４０５を挿入する際に、コネクタ固定部材１４０５の突起部１５５０を、第１光ファイバケーブルＦＣ１と第２光ファイバケーブルＦＣ２の中心軸ＣＬを中心にして旋回して案内するために、中心軸ＣＬを中心にして異なる方向に形成された２つの案内倣い面５１Ａ，５１Ｂが、ガイド部材５０に設けられ、コネクタ固定部材１４０５に配置された第１マグネットＭ１，Ｍ１１と、アダプタ固定部材１６０３に固定され、ガイド部材５０にコネクタ固定部材１４０５を挿入する際に、コネクタ固定部材１４０５の突起部１５５０が２つの案内倣い面５１Ａ，５１Ｂの先端部５１Ｃに達するのを回避するための磁気的な力を、第１マグネットとの間で発生する第２マグネットＭ２，Ｍ１２と、を有する。
【００６８】
これにより、ガイド部材５０にコネクタ固定部材１４０５を挿入する際に、第１マグネットＭ１，Ｍ１１と第２マグネットＭ２，Ｍ１２は、コネクタ固定部材１４０５の突起部１５５０が２つの案内倣い面５１Ａ，５１Ｂの先端部に達するのを回避するための磁気的な力を発生する。このため、コネクタ固定部材１４０５の突起部１５５０が２つの案内倣い面５１Ａ，５１Ｂの先端部５１Ｃに達しないで、案内倣い面に当たるので、突起部１５５０が２つの案内倣い面５１Ａ，５１Ｂの先端部５１Ｃに潜り込んで噛み込むのを防ぐことができる。従って、接続装置において噛み込みが生じないようにして、光ファイバケーブルの接続を確実に行うことができる。
【００６９】
第１マグネットＭ１と第２マグネットＭ２は、磁気的吸着力を発揮する異極である。これにより、マグネットを配置するだけで、マグネットの磁気的な吸着力を用いて突起部１５５０が２つの案内倣い面５１Ａ，５１Ｂの先端部５１Ｃに潜り込んで噛み込むのを防ぐことができる。
【００７０】
第１マグネットＭ１１と第２マグネットＭ１２は、磁気的反発力を発揮する同極である。これにより、マグネットを配置するだけで、マグネットの磁気的な反発力を用いて突起部１５５０が２つの案内倣い面５１Ａ，５１Ｂの先端部５１Ｃに潜り込んで噛み込むのを防ぐことができる。
【００７１】
本発明の接続装置２００は、第１情報伝達ケーブルとしての第１光ファイバケーブルＦＣ１を保持し外周面に突起部５５０を有する筒状のコネクタ固定部材１４０５を、保持する接続部２０１と、第２情報伝達ケーブルとしての第２光ファイバケーブルＦＣ２を保持しており、コネクタ固定部材１４０５を挿入することで、第１光ファイバケーブルＦＣ１の端部と第２光ファイバケーブルＦＣ２の端部を接続するための筒状のアダプタ固定部材１６０３と、を備え、アダプタ固定部材１６０３は内部にガイド部材５０Ｒを有し、ガイド部材５０Ｒにコネクタ固定部材１４０５を挿入する際に、コネクタ固定部材１４０５の突起部５５０を、第１光ファイバケーブルＦＣ１と第２光ファイバケーブルＦＣ２の中心軸ＣＬを中心にして旋回して案内するために、中心軸ＣＬを中心にして螺旋状に形成された１つの案内倣い面５５が、ガイド部材５０に設けられ、コネクタ固定部材１４０５に配置された第１マグネットＭ１，Ｍ１１と、アダプタ固定部材１６０３に固定され、ガイド部材５０Ｒにコネクタ固定部材１４０５を挿入する際に、コネクタ固定部材１４０５の突起部５５０が１つの案内倣い面５５の先端部５５Ａに達するのを回避するための磁気的な力を、第１マグネットとの間で発生する第２マグネットＭ２，Ｍ１２と、を有する。
【００７２】
これにより、ガイド部材５０にコネクタ固定部材１４０５を挿入する際に、第１マグネットＭ１，Ｍ１１と第２マグネットＭ２，Ｍ１２は、コネクタ固定部材１４０５の突起部５５０が１つの案内倣い面５５の先端部に達するのを回避するための磁気的な力を発生する。このため、コネクタ固定部材１４０５の突起部５５０が１つの案内倣い面５５の先端部５５Ａに達しないで、案内倣い面５５に当たるので、突起部５５０が１つの案内倣い面５５の先端部５５Ａに潜り込んで噛み込むことを防ぐことができる。従って、接続装置において噛み込みが生じないようにして、光ファイバケーブルの接続を確実に行うことができる。
【００７３】
本発明の実施形態の接続装置を備えるイメージング装置の一例である光イメージング装置５００は、接続部２０１を有するカテーテル部１００と、接続保持体７を有し、第１光ファイバケーブルＦＣ１と第２光ファイバケーブルＦＣ２を通じて光源の光を対象に照射して、対象からの戻り光を第１光ファイバケーブルＦＣ１と第２光ファイバケーブルＦＣ２を通じて得るドライブ装置１と、戻り光によるドライブ装置１からの信号により対象の画像を形成する操作制御装置５０１と、を備える。
【００７４】
これにより、ガイド部材５０にコネクタ固定部材１４０５を挿入する際に、第１マグネットＭ１，Ｍ１１と第２マグネットＭ２，Ｍ１２は、コネクタ固定部材１４０５の突起部１５５０，５５０が案内倣い面５１Ａ，５１Ｂ、５５の先端部５１Ｃ，５５Ａに達するのを回避するための磁気的な力を発生する。このため、コネクタ固定部材１４０５の突起部１５５０，５５０が案内倣い面５１Ａ，５１Ｂの先端部に達しないで、案内倣い面に当たるので、突起部１５５０が２つの案内倣い面５１Ａ，５１Ｂ，５５の先端部５１Ｃ，５５Ａに潜り込んで噛み込むことを防ぐことができる。従って、光イメージング装置の接続装置において噛み込みが生じないようにして、光ファイバケーブルの接続を確実に行うことができる。
（第５実施形態）
上述した各実施形態の接続装置と、この接続装置を備えるイメージング装置は、光信号を用いて画像を形成する光干渉断層診断装置２００（ＯＣＴ）である。
ここで、本発明の第５実施形態の接続装置は、図２０に示すように、光干渉断層診断装置２００（ＯＣＴ）とは異なる超音波信号を用いて画像を形成する血管内超音波イメージングシステムである。
図３に示す光干渉断層診断装置２００では、カテーテルシース１０１の内部には、測定光を送受信する光送受信部１２１が配置され、光送受信部１２１の先のチューブ１０３寄りの位置には単にレンズが配置されている。光送受信部１２１は、対象物から戻ってきた光を第１光ファイバケーブルＦＣ１に伝えるだけである。
これに対して、本発明の第５実施形態の接続装置と、この接続装置を備えるイメージング装置としての血管内超音波イメージングシステムでは、光送受信部１２１に代えて、圧電材料でなる音波送受信部１１２１が配置され、音波送受信部１１２１には超音波を発生する振動子が配置されている。音波送受信部１１２１で送受信された超音波信号は、信号の増幅、対数変換、検波などを行うことで電気信号として導電ケーブルを通じて伝送される。
図２０に示すように、第１情報伝達ケーブルとしての導電ケーブルの端部１７７７と、カテーテル接続保持体７の中心軸ＣＬに位置されている第２情報伝達ケーブルとしての導電ケーブルの端部１６０７を突き合わせて接続することができる。血管内超音波イメージングシステムの場合、ケーブルの端子は２つ以上ある。接続端子はどちら同士を繋いでも良い。
なお、第５実施形態でも、１つのガイド溝部（スロットともいう）５６を設けるだけに限らず、複数のガイド溝部５６がガイド部材５０には、設けられるようにしても良い。
【００７５】
本発明は、上記実施形態に限定されず、特許請求の範囲を逸脱しない範囲で種々の変更を行うことができる。上述した本発明の各実施形態は、任意組み合わせることができる。上記実施形態の各構成は、その一部を省略したり、上記とは異なるように任意に組み合わせたりすることができる。
【符号の説明】
【００７６】
１・・・スキャナ／プルバック部（モータドライブユニット、ドライブ装置）、１００・・・カテーテル部、７・・・カテーテル接続保持体（接続保持体）、５０・・・ガイド部材、５１Ａ、５１Ｂ・・・２つの案内倣い面、５１Ｃ・・・２つの案内倣い面の頂点部分（２つの案内倣い面５１Ａ，５１Ｂの先端部）、５５・・・１つの螺旋状の案内倣い面、５５Ａ・・・螺旋頂点部分（１つの螺旋状の案内倣い面５５の先端部）、２００・・・接続装置、２０１・・・接続部、４１１・・・突起部、５００・・・光干渉断層診断装置（イメージング装置の一例）、５０２・・・信号ケーブル、５０１・・・操作制御装置、５０３・・・本体制御部、５５０・・・突起部、６０３・・・保護管、６０７・・・第２光ファイバケーブル（ＦＣ２：第２情報伝達ケーブルの例）の端部、６０８・・・保護管、７７７・・・第１光ファイバケーブル（ＦＣ１：第１情報伝達ケーブルの例）の端部、１４０５・・・コネクタ固定部材、１５５０・・・突起部、１６０３・・・アダプタ固定部材、ＦＣ１・・・第１光ファイバケーブル（第１情報伝達ケーブルの例）、ＦＣ２・・・第２光ファイバケーブル（第２情報伝達ケーブルの例）、ＣＬ・・・中心軸、Ｍ１・・・第１マグネット、Ｍ２・・・第２マグネット、Ｍ１１・・・第１マグネット、Ｍ１２・・・第２マグネット
【図１】
2016041111.tif 000003
【図２】
2016041111.tif 000004
【図３】
2016041111.tif 000005
【図４】
2016041111.tif 000006
【図５】
2016041111.tif 000007
【図６】
2016041111.tif 000008
【図７】
2016041111.tif 000009
【図８】
2016041111.tif 000010
【図９】
2016041111.tif 000011
【図１０】
2016041111.tif 000012
【図１１】
2016041111.tif 000013
【図１２】
2016041111.tif 000014
【図１３】
2016041111.tif 000015
【図１４】
2016041111.tif 000016
【図１５】
2016041111.tif 000017
【図１６】
2016041111.tif 000018
【図１７】
2016041111.tif 000019
【図１８】
2016041111.tif 000020
【図１９】
2016041111.tif 000021
【図２０】
2016041111.tif 000022